(57)【要約】【課題】本発明は、強度に優れて荷崩れが生じ難く、また組み立ても容易で低コストな一枚の直方形状のプランクシートから組み立てられる段ボール箱を提供することを目的としている。【解決手段】そして、本発明は上記目的を達成するために、一枚の直方形状のプランクシートの中央部に位置する直方形状の底板の周囲に縦側板と横側板とを形成し、底板の四隅には正方形状の隅部連結板を形成するとともに、縦側板の外方には内側板が連結され、当該内側板上の両端部にはフラップ状の折込片を形成するようにしたものである。【選択図】図２
2020045178.tif 000002
【特許請求の範囲】
【請求項１】
中央部に縦向きの２辺と横向きの２辺が直角に交わる直方形状の底板が形成された、一枚の直方形状のプランクシートから組み立てられる段ボール箱であって、
前記底板の周囲には、前記底板の縦向きの２辺に、前記プランクシートを縦貫する第１縦折り罫を介して連結している一対の縦側板と、前記底板の横向きの２辺に、前記プランクシートを横貫する横折り罫を介して連結している一対の横側板と、が形成されるとともに、前記底板の四隅の角部の外方には、隣り合う縦側板と横側板とを連結する４つの正方形状の隅部連結板が形成され、
前記一対の縦側板の外方には、前記プランクシートと縦方向の長さが等しく、かつ前記縦側板と横方向の幅が等しい一対の内側板が、各々第２縦折り罫を介して連結されており、
さらに当該内側板上の縦方向の両端部近傍には、前記横折り罫を介してフラップ状の折込片が各々形成されるとともに、
前記第２縦折り罫は、前記横折り罫より内側に形成され、当該第２縦折り罫の両端の延長線上には、縦方向の切込みが形成されていることを特徴とする組立式段ボール箱。
【請求項２】
前記内側板の外方に複数の小突起状の差込片を形成するとともに、前記第１縦折り罫と前記横折り罫のうち少なくともいずれか一方の折り罫上には、前記差込片の差込孔が形成されていることを特徴とする請求項１に記載の組立式段ボール箱。
【請求項３】
前記４つの隅部連結板には、前記底板の角部を起点とする対角線上に斜め折り罫が形成されるとともに、当該斜め折り罫は、前記対角線上における角部寄りの前半部に形成され、後半部にはその全長にわたり斜め方向の切込みが形成されていることを特徴とする請求項１又は２に記載の組立式段ボール箱。
【請求項４】
前記４つの隅部連結板と縦側板とを連結する横折り罫上には、横長の長方形状の切込み孔が形成されていることを特徴とする請求項１ないし請求項３のいずれかひとつに記載の組立式段ボール箱。
【発明の詳細な説明】
【技術分野】
【０００１】
本発明は、イチゴ等青果物の運搬に適した組立式の段ボール箱に関し、一枚の型抜きされたプランクシートから組み立てられる段ボール箱に関するに関するものである。
【背景技術】
【０００２】
収穫された青果物等は、多くの場合はいったん選果場で選果された後に出荷されるのであるが、特にイチゴ等は非常に傷み易いものであるため、その運搬には格別の配慮を要する。
【０００３】
そのため選果した青果物は、はじめにプラ製の透明な容器などにパッキングされ、次いで当該パックを縦横に４つ収容可能な段ボール箱に詰めて出荷される場合が多い。  
【０００４】
従来より、こうした青果物の出荷に使用される段ボール箱は、製造コストや段ボール箱自体の運搬の利便性を考慮し、切込みや折り罫などが型抜きされた一枚の平板状のプランクシートを出荷現場で組み立てるものが多く採用されている。
【０００５】
前述の選果場では、一度に大量の青果物を選果するため、あらかじめ大量の段ボール箱を組み立てておく必要があるが、上記のような平板状のプランクシートから組み立てる段ボール箱は、その組み立てに相応の熟練を要し、人手不足が深刻で熟練した作業員を確保することが困難な昨今の状況にあっては、作業に不慣れな作業員であっても簡単に組み立てられる構造のものが望ましい。
【０００６】
また、青果物を収納した段ボール箱を選果場から出荷する際には、段ボール箱を多段に重ねた状態でトラックに積載するのであるが、走行中のトラックの振動等により上段に積載した箱の重量によって下段の箱の側壁が潰れてしまい、図１に示すような状態の荷崩れが発生した場合、収納した青果物を圧迫して傷ませてしまう危険性があるため、段ボール箱を積み重ねた際にも、箱の側壁が潰れ難くする対策が必要である。  
【０００７】
特に底面の形状が長方形の箱の場合では、短辺側の側壁に比べ長辺側の側壁の方が強度的に弱く潰れやすい。したがって上記対策としては、特に長辺側の側壁を多重にした構造を採用することが効果的である。
【０００８】
そこで、こうした対策を施した青果物運搬用の段ボール箱として、例えば特許文献１には、特に底面の形状が長方形の箱において、側板１２と内側板１８によって、長辺側の側壁を二重構造にした段ボール箱が記載されている。
【先行技術文献】
【特許文献】
【０００９】
【特許文献１】特開２０１６−１３０１３５号公報
【発明の概要】
【発明が解決しようとする課題】
【００１０】
以上のような先行技術を検討してみると、前述のような多段に重ねた際の荷崩れに対して一定の効果は期待できるものの、解決すべき課題として以下の３点を挙げることができる。
【００１１】
先ず第一の課題は、側壁の強度に関するものである。すなわち引用文献１に記載の段ボール箱は、長辺側の側壁が二重構造になっているものの、収納物の重量や積載方法によっては短辺側の側壁が潰れてしまう可能性があり、十分な強度を有しているとはいえず、更なる強度を備えた構造にすることが望ましい。
【００１２】
次に第二の課題は、製造コストに関するものである。この点に関し、前記特許文献１に記載のものは、１枚のプランクシートを型抜きして製造するものであるが、その平面展開図等を参酌すると、型抜き後に廃棄される不要な部分の面積が多く、製造コスト面では無駄の多い設計といえる。
【００１３】
さらに第三の課題は、段ボール箱の組み立て易さに関するものである。すなわち段ボール箱は、縦方向又は横方向のいずれかに折れ曲がりやすい紙目があるものを使用する場合が多いのであるが、底板の四隅の外方に形成された４つの正方形状の隅部の折り込みについては、前記紙目に対して斜め４５度の方向に折り込む必要があり、手で把握できる面積も小さく折り込む際の抵抗も大きいため、あらかじめ谷折線があったとしても、この部位の折り込みは熟練した作業員でないと手早く正確に折り込むことが難しいという特徴がある。
【００１４】
この点に関し、前記特許文献１に記載のものは、あらかじめ隅部に設けられた斜め４５度の谷折線１４と切り欠き１５を設けているものの、上記の理由で手早く正確に折り込むことが依然として難しいものと思われる。
【００１５】
本発明は上記課題を解決しようとするものであり、側壁の強度が全周にわたり強く、運搬時の振動にも耐えることができ、また１枚のプランクシートから効率よく型抜きすることができて廃棄する不要な部分が殆ど無く、さらには組み立ても容易という性能を有した組立式の段ボール箱を提供することを目的としている。
【課題を解決するための手段】
【００１６】
そして本発明の組立式段ボール箱では、上記目的を達成するための第１の課題解決手段として、中央部に縦向きの２辺と横向きの２辺が直角に交わる直方形状の底板が形成された、一枚の直方形状のプランクシートから組み立てられる段ボール箱であって、
前記底板の周囲には、前記底板の縦向きの２辺に、前記プランクシートを縦貫する第１縦折り罫を介して連結している一対の縦側板と、前記底板の横向きの２辺に、前記プランクシートを横貫する横折り罫を介して連結している一対の横側板と、が形成されるとともに、前記底板の四隅の角部の外方には、隣り合う縦側板と横側板とを連結する４つの正方形状の隅部連結板が形成され、前記一対の縦側板の外方には、前記プランクシートと縦方向の長さが等しく、かつ前記縦側板と横方向の幅が等しい一対の内側板が、各々第２縦折り罫を介して連結されており、さらに当該内側板上の縦方向の両端部近傍には、前記横折り罫を介してフラップ状の折込片が各々形成されるとともに、前記第２縦折り罫は、前記横折り罫より内側に形成され、当該第２縦折り罫の両端の延長線上には、縦方向の切込みが形成されていることを特徴とする組立式段ボール箱としたものである。
【００１７】
また第２の課題解決手段は、前記内側板の外方に複数の小突起状の差込片を形成するとともに、前記第１縦折り罫と前記横折り罫のうち少なくともいずれか一方の折り罫上には、前記差込片の差込孔が形成するように構成したものである。
【００１８】
また第３の課題解決手段は、前記４つの隅部連結板には、前記底板の角部を起点とする対角線上に斜め折り罫が形成されるとともに、当該斜め折り罫は、前記対角線上における角部寄りの前半部に形成され、後半部にはその全長にわたり斜め方向の切込みを形成するように構成したものである。
【００１９】
また第４の課題解決手段は、前記４つの隅部連結板と縦側板とを連結する横折り罫上には、横長の長方形状の切込み孔を形成するように構成したものである。
【００２０】
この発明の第１の課題解決手段によれば、縦側板の外方には内側板が連結されており、箱を組み立てると、当該内側板は縦側板と重なり合うように折り込まれて縦側板部分に二重壁構造が形成されるため、箱の強度を増すことができる。
【００２１】
さらに前記内側板の両端部近傍を横折り罫で折り曲げると、フラップ状の折込片が形成され、当該フラップ状の折込片は横側板と重なり合うように組み立てられるため、横側板部分にも二重壁構造が形成され、箱の強度を一層増すことができる。
【００２２】
またその製造にあたっても、図２に示すように、１枚のプランクシートを隅々まで有効活用する巧みな設計が施されているため、廃棄される不要な部分の面積が殆どなく、製造コストを削減することができる。
【００２３】
また第２の課題解決手段によれば、前記内側板の外方に形成された複数の小突起状の差込片が、前記第１縦折り罫や前記横折り罫上の差込孔と嵌合することで、箱を組み立てた際に内側板やフラップ状の折込片を外れにくくすることができる。
【００２４】
また第３の課題解決手段によれば、隅部連結板における斜め折り罫が、隅部連結板の対角線上角部寄りの前半部に形成され、後半部は斜め方向の切込みとなっているので、折り込みの正確なきっかけを作りやすく、斜め折り罫の長さも短いため、斜め折り罫に沿って少ない力で正確に折り込むことができる。
【００２５】
また第４の課題解決手段によれば、隅部連結板と縦側板とを連結する横折り罫上に、横長の長方形状の切込み孔が形成されているので、当該部分の折り込みの抵抗が低減し、複雑な隅部の折り込み作業を、いっそう容易に行うことができるようになる。
【発明の効果】
【００２６】
以上のように本発明の組立式段ボール箱は、箱の組立後の側板部分の随所に二重壁構造が形成されるとともに、小突起でしっかり固定される構造のため強度に優れており、箱が潰れて収容物を傷ませてしまう危険性が低いので、振動の多いトラックにも多段に積載して運搬することができる。
【００２７】
さらに製造に必要なプランクシートの面積も最小限に抑えることができるので、製造コストにも優れており、また折り込みの難しい位置にある隅部連結板を正確に手早く折り込むことができるので、選果場等で必要な大量の箱の組み立てを迅速に行うことができる。
【図面の簡単な説明】
【００２８】
【図１】段ボール箱の荷崩れを示す状態図
【図２】本発明の実施形態であるプランクシートの平面展開図
【図３】同上の段ボール箱の組み立て途中の状態図
【図４】同上の段ボール箱の隅部の折り込み状態を示す状態図
【図５】同上の段ボール箱の組み立て完成図
【図６】同上の段ボール箱にイチゴパックを収容した状態図
【図７】同上の段ボール箱の隅部連結板の拡大図
【発明を実施するための最良の形態】
【００２９】
以下、本発明の実施の形態について説明すると、はじめに図２は、本発明の組立式段ボール箱で使用されるプランクシート１の平面展開図であり、縦方向及び横方向のいずれも対称な構造で、その中央部には底板２が形成されている。当該底板２の形状は、縦向きの２辺と横向きの２辺が直角に交わる直方形状であればよく、特に図２に記載のものでは縦方向に長い長方形状を採用している。またこのほか横方向に長い長方形状や正方形状など所望の形状を選択することもできるので、例えばイチゴパックを収容しようとする際には、図６に示すようにイチゴパックを縦横に４つ並べた形状にするなど、収容物に応じて適宜変更すればよい。
【００３０】
同様に、プランクシート１の形状についても直方形状であり、箱に収容しようとする収容物に応じ、形状とサイズが決定されることになる。またその製造工程では、型抜きと同時に所定の個所に点線で示す折り罫や切込み等が設けられる。なおプランクシート１の素材には段ボール紙を使用するため、縦方向又は横方向の何れかに折れ曲がりやすい紙目を有している。
【００３１】
また前記底板２の周囲には、前記底板２の縦向きの２辺に各々設けられ、前記プランクシート１を縦貫する第１縦折り罫９を介して連結している一対の縦側板４と、前記底板２の横向きの２辺に各々設けられ、前記プランクシート１を横貫する横折り罫８を介して連結している一対の横側板３と、が形成されている。
【００３２】
前記縦側板４と横側板３はともに長方形状で、各々前記第１縦折り罫９と横折り罫８に沿って上方に折り曲げることにより、底板２の周囲に等しい高さの側壁を形成する。また前記第１縦折り罫９と横折り罫８は、プランクシート１全体を直線状に折り曲げるものであるため、底板２の周囲ばかりでなく、底板２の四隅にある角部７で直交した先にも延長し、プランクシート１を縦横にわたって貫いている。
【００３３】
また前記底板２の角部７の外方には、４つの正方形状の隅部連結板５が形成されており、各々の隅部連結板５は、隣り合う縦側板４又は横側板３と横折り罫８又は第１縦折り罫９を介して連結している。そして特に隅部連結板５と縦側板４とを連結する横折り罫８上には、横長の長方形状の切込み孔１９が形成されており、当該部分を折り曲げやすくしている。
【００３４】
また前記一対の縦側板４の外方には、第２縦折り罫１０を介して一対の内側板６が各々連結されている。この内側板６は、前記プランクシート１と縦方向の長さが等しく、かつ前記縦側板４と横方向の幅が等しく設定されており、図３に示すように縦側板４と横側板３を立ち上げたのちに、第２縦折り罫１０に沿って段ボール箱の内側に折り込むことで、縦側板４の部分の側壁を二重壁構造にして強度を増す機能を担っている。
【００３５】
さらに図７に示すように、各内側板６上には、縦方向の両端部近傍で、前記横折り罫８を介してフラップ状の折込片１８が各々形成されている。また前記第２縦折り罫１０は、前記横折り罫８より内側に形成され、当該第２縦折り罫１０の両端の延長線上には、縦方向の切込み１３が形成されている。
【００３６】
そして、当該縦方向の切込み１３により、前記内側板６の端部近傍に形成されたフラップ状の折込片１８は、隅部連結板５から切り離されており、図４のAに示す状態から、フラップ状の折込片１８を、前記横折り罫８に沿って直角に屈曲させるとともに、内側板６を縦側板４と重なるように箱の内側に折り込めば、前記フラップ状の折込片１８は横側壁３に重なり、図４のBに示すように箱の横側壁３の部分にも二重壁構造が形成され、箱の強度をさらに増すことができる。
【００３７】
またさらに前記内側板６は、図３及び図４に示すように、直角三角形状に折りたたまれた隅部連結板５を挟み込むようにして、縦側板４の上から内側板６を内側に折り込む構造であるため、隅部連結板５を強固に固定させることができ、部分的には４重壁構造にもなるため、特に大きな荷重の加わる隅部の構造が一層強化される。
【００３８】
また、内側板６の外方の適宜の位置に小突起状の差込片１６・１６’を形成するとともに、縦折り罫９又は横折り罫８上に前記差込片１６・１６’に対応する差込孔１７・１７’を形成することで、内側板６とフラップ状の折込片１８を外れ難くすることができる。
【００３９】
特に図２に示すものでは、内側板６上の横折り罫８より内側の位置に小突起１６’を形成するとともに、当該小突起１６’を第１縦折り罫９上に形成された差込口１７’に差し込むように組み立てることで、内側板６の中央部が外れにくくしている。また前記横折り罫８より外側の位置にも小突起１６を形成するとともに、当該小突起１６を横折り罫８上に形成された差込口１７に差し込むように組み立てることで、内側板６の先端部にあるフラップ状の折込片１８を外れにくくしている。
【００４０】
また前記隅部連結板５の各々には、図７に示すように、前記底板２の角部７を起点とする対角線上における角部７寄りの前半部に斜め４５度の斜め折り罫１２が形成されるとともに、前記対角線の後半部には斜め方向の切込み１４が形成してある。
【００４１】
最後に、本発明の段ボール箱が如何に優れた効果を奏するものかについて理解を深めるためにも、本発明の段ボール箱の組み立て方について具体的な説明を加える。
【００４２】
前述のように本発明の段ボール箱は、図２に示すような型抜きされて折り罫や切込みが設けられた一枚の直方形状のプランクシート１より組み立てられるものであるが、その組み立にあたっては、初めに底板２の周囲に形成された横折り罫８と第１縦折り罫９に沿って、横方向と縦方向に折り曲げる。前述のように、横折り罫８と第１縦折り罫９は、プランクシート１を縦横にわたって貫いているので、この折り曲げ作業により、隅部連結板５の周囲の折り罫部分と内側板６上にあるフラップ状の折込片１８も同時に折り曲げる。
【００４３】
次に隅部連結板５を、底板２の角部７を起点とする対角線に沿って折り込む作業が必要となる。この部分の折り込みは、前述のように段ボールの紙目に対し４５度の斜め方向に折ることになるうえに、手で把握できる部分も小さいため力も入れ難く、意図していない個所に折り目が付くなど、折り罫どおりに正確に折り込むことが難しい箇所である。
【００４４】
しかしながら本発明のプランクシート１では、図７に示すように対角線上の角部７寄りの前半部には斜め折り罫１２が形成されるとともに、後半部には斜め方向の切込み１４が形成してあるので、底板２の周囲の横側板３と縦側板４を同時に上方に立ち上げるとともに、隅部連結板５の裏面から対角線に沿って指を押し当てるなどして折り込む力を加えてゆけば、初めに斜め方向の切込み１４のある部分から隅部連結板５が撓み始め、切込みの先端部１５を起点にした折れ曲がりのきっかけを容易に掴むことができる。
【００４５】
そして折れ曲がりはじめた切込みの先端部１５は、前記斜め折り罫１２に接続しているために、隅部連結板５にかかる力が斜め折り罫１２へと正確に誘導され、また隅部連結板５と縦側板４とを連結する横折り罫８上には、横長の長方形状の切込み孔１９が形成されていることから、小さい力で容易に折り込むことができるようになる。
【００４６】
こうして正確に折り込まれた隅部連結板５は、図４のAに示す状態を経て、二重に畳まれると直角三角形状になる。
【００４７】
そして最後に、直角三角形状に折り畳まれた隅部連結板５が、縦側板４と内側板６の間に挟み込まれるようにして、内側板６を箱の内側に折り込むとともに  フラップ状の折込片１８を横折り罫８に沿って屈曲させつつ横側壁３に重ね合わせると、図４のBに示す状態となり、各小突起１６・１６’を差込孔１７・１７’に差し込んで固定すれば、図５の組み立て完成図の状態となる。
【産業上の利用可能性】
【００４８】
以上のように本発明の組立式段ボール箱は、随所に２重壁構造が形成され多段積載にも耐えうる強度を有しているうえに、製造コストにも優れ、箱の組み立てに際しても手早く正確に折り込むことが可能であるので、特に青果物等の輸送に用いるのに最適であるが、このほか電気製品など段ボール箱を大量に使用する際に有効に活用することもできる。
【符号の説明】
【００４９】
１  プランクシート、２  底板、３  横側板、４  縦側板、  ５  隅部連結板、６  内側板、７  底板の角部、８  横折り罫、９  第１縦折り罫、１０  第２縦折り罫、１２  斜め折り罫  １３  縦方向の切込み、１４  斜め方向の切込み、１５  切込みの先端部、１６・１６’  差込片、１７・１７’  差込孔、１８  フラップ状の折込片、１９  長方形状の切込み孔、２０  イチゴパック
【図１】
2020045178.tif 000003
【図２】
2020045178.tif 000004
【図３】
2020045178.tif 000005
【図４】
2020045178.tif 000006
【図５】
2020045178.tif 000007
【図６】
2020045178.tif 000008
【図７】
2020045178.tif 000009